(57)【要約】【課題】放送エリアごとに異なった番組が放送されている場合に、受信側の設定を容易にしたい。【解決手段】管理装置１０は、複数のセグメント成分に対応したデータを出力する。複数の送信装置１２のそれぞれは、入力したデータをもとに、複数のセグメント成分が周波数領域にて多重された変調信号を生成する。また、送信装置１２は、変調信号のうち、出力すべき少なくともひとつのセグメント成分を配置した第１セグメントが、予め定められた一部の第２セグメントと異なっている場合に、出力すべき少なくともひとつのセグメント成分が第２セグメントに配置されるように、変調信号内において複数のセグメント成分の配置を組みかえる。さらに、送信装置１２は、複数のセグメント成分の配置を組みかえた変調信号を出力する。【選択図】図１
2010136021.tif 000002
【特許請求の範囲】
【請求項１】
複数のセグメント成分に対応したデータを入力する入力部と、
前記入力部において入力したデータをもとに、複数のセグメント成分が周波数領域にて多重された変調信号を生成する生成部と、
前記生成部において生成した変調信号のうち、出力すべき少なくともひとつのセグメント成分を配置した第１セグメントが、予め定められた一部の第２セグメントと異なっている場合に、出力すべき少なくともひとつのセグメント成分が第２セグメントに配置されるように、変調信号内において複数のセグメント成分の配置を組みかえる組み替え部と、
前記組み替え部において複数のセグメント成分の配置を組みかえた変調信号を出力する出力部と、
を備えることを特徴とする送信装置。
【請求項２】
複数のセグメント成分に対応したデータを出力する管理装置と、
前記管理装置から入力したデータをもとに生成した変調信号を出力する複数の送信装置とを備え、
複数の送信装置のそれぞれは、
前記管理装置から入力したデータをもとに、複数のセグメント成分が周波数領域にて多重された変調信号を生成する生成部と、
前記生成部において生成した変調信号のうち、出力すべき少なくともひとつのセグメント成分を配置した第１セグメントが、予め定められた一部の第２セグメントと異なっている場合に、出力すべき少なくともひとつのセグメント成分が第２セグメントに配置されるように、変調信号内において複数のセグメント成分の配置を組みかえる組み替え部と、
前記組み替え部において複数のセグメント成分の配置を組みかえた変調信号を出力する出力部と、
を備えることを特徴とする送信システム。
【請求項３】
前記組み替え部では、前記複数の送信装置のそれぞれに対して、第１セグメントが異なっていても、前記複数の送信装置にわたって、第２セグメントが共通に規定されていることを特徴とする請求項２に記載の送信システム。
【発明の詳細な説明】
【技術分野】
【０００１】
本発明は、送信技術に関し、特に放送信号を送信する送信装置およびそれを利用した送信システムに関する。
【背景技術】
【０００２】
テレビジョン放送システム等の放送システムにおいては、放送局から電磁波として信号が送信される。テレビジョン放送受像装置は、放送局から送信された信号を受信し、受信した信号から画像情報、音声情報等を取得する。放送局が送信する信号については、放送局が放送圏とする地域に存在するテレビジョン放送受像装置において所定の品質の情報が得られるよう、送信電力、所望信号対妨害波比等の規定が定められている。しかしながら、放送局がその規定を満足する信号を送信したとしても、放送圏内において電磁波の障害物等が存在すると、テレビジョン放送受像装置において受信される信号の電界強度が不十分となり、放送圏内において所定の品質の情報が得られない地域が生じる。そこで、このような品質劣化地域を減少させるため、放送局から送信された信号を受信し、増幅して送信する中継を行う中継装置が放送圏内に設置される。
【０００３】
例えば、中継装置は、受信アンテナによって、複数のチャンネルによって形成されたアナログ変調信号を受信し、受信した信号を分波器に出力する。分波器は、受信した信号をチャンネル単位に分離する。すなわち、分波器は、所望のチャンネル以外の周波数帯域の信号を減衰させた信号を出力する。分波器は、複数の信号を複数のチャンネル帯域内増幅部に出力する。チャンネル帯域内増幅部のそれぞれは、チャンネル単位の信号を増幅した後、中間周波数帯域の信号に変換する。また、所望のチャンネル以外の信号を減衰させる帯域制限を行った後、中間周波数での増幅を行い、再び放送周波数帯域に変換してから、増幅する。増幅された複数の信号は、合波器に出力される。合波器は、複数の信号を合成する。合波器によって合成した信号は、送信アンテナを介して電磁波として送信される。
【０００４】
このような中継装置は、受信した信号を複数のチャンネルに分離し、それぞれのチャンネルの周波数帯域に対し個別に帯域制限および増幅等を行う。これは、互いに異なる複数のチャンネル周波数帯域のアナログ変調信号が互いに影響し合って発生する相互変調による妨害波、あるいは、各チャンネル周波数帯域に近い周波数帯域に重畳するノイズによって発生する妨害波をできるだけ低減させるためである（例えば、特許文献１、２参照）。近年、ディジタル変調された信号を用いて情報を送信するディジタルテレビジョン放送が利用されるようになっており、アナログ変調信号とディジタル変調信号とが混在する状況となっている。このような状況下においても、前述の中継装置が使用される。一般的に、ディジタルテレビジョン放送は、従来のテレビジョン放送よりも多くのチャンネルによって構成される。そのため、前述の構成では、チャンネル数に応じたチャンネル帯域内増幅部が必要となるので、チャンネル数が増加するにつれて回路が大規模な構成となり、製造コストが増大してしまう。
【０００５】
これを解決するために、複数のチャンネルに対応した帯域を通過可能なディジタルフィルタを備えた中継装置が提案されている。また、ディジタルフィルタは、複数のタップにて構成されており、複数のタップのそれぞれに対応した係数は、可変の値に設定される。そのため、中継すべきチャンネルを通過するバンドパスフィルタを実現するようなタップ係数が、ディジタルフィルタに設定されることによって、中継装置は、所望のチャンネルを選択的に中継できる（例えば、特許文献３参照）。
【特許文献１】特開２０００−３２４０３６号公報
【特許文献２】特開２００７−２８８５７２号公報
【特許文献３】特開２００７−０４３５８３号公報
【発明の開示】
【発明が解決しようとする課題】
【０００６】
ディジタルテレビジョン放送では、ひとつのチャンネルを複数のセグメントに分割し、各セグメントにて別々の番組を放送することが可能である。放送事業者は、少なくともひとつのセグメントにて番組を放送できる。また、放送事業者以外の団体等にとって、自主番組を放送したいという要望がある。例えば、商店街やショッピングセンター等の限られたエリアにおいて、店舗の広告のような番組を放送したいという要望である。ディジタルテレビジョン放送に対応した受像装置をユーザが既に所有している場合、自主番組がディジタルテレビジョン放送に対応していれば、追加の投資がなくても、ユーザは自主番組を視聴できる。その際、例えば、各セグメントには、互いに異なった自主番組が配置される。
【０００７】
放送のエリアを拡大するためには、放送装置や中継装置が複数設置されるべきである。放送装置等が、互いに異なった番組や自主番組を放送する場合、これらの放送装置等は、互いに異なったセグメントを使用する。そのため、ユーザが受像装置を使用しながら、複数の放送エリアをまたいで移動する場合、ユーザには、放送エリアごとにセグメントを設定することが要求される。ユーザの利便性を考慮すると、受信すべきセグメントの設定が容易である方が好ましい。
【０００８】
本発明はこうした状況に鑑みてなされたものであり、その目的は、放送エリアごとに異なった番組が放送されている場合に、受信側の設定を容易にする技術を提供することにある。
【課題を解決するための手段】
【０００９】
上記課題を解決するために、本発明のある態様の送信装置は、複数のセグメント成分に対応したデータを入力する入力部と、入力部において入力したデータをもとに、複数のセグメント成分が周波数領域にて多重された変調信号を生成する生成部と、生成部において生成した変調信号のうち、出力すべき少なくともひとつのセグメント成分を配置した第１セグメントが、予め定められた一部の第２セグメントと異なっている場合に、出力すべき少なくともひとつのセグメント成分が第２セグメントに配置されるように、変調信号内において複数のセグメント成分の配置を組みかえる組み替え部と、組み替え部において複数のセグメント成分の配置を組みかえた変調信号を出力する出力部と、を備える。
【００１０】
この態様によると、出力すべきセグメント成分を配置したセグメントが、予め定められたセグメントとずれている場合に、前者と後者とを組み替えるので、前者がどのようなセグメントであっても、最終的に後者のセグメントで受信させることができる。
【００１１】
本発明の別の態様は、送信システムである。この送信システムは、複数のセグメント成分に対応したデータを出力する管理装置と、管理装置から入力したデータをもとに生成した変調信号を出力する複数の送信装置とを備える。複数の送信装置のそれぞれは、管理装置から入力したデータをもとに、複数のセグメント成分が周波数領域にて多重された変調信号を生成する生成部と、生成部において生成した変調信号のうち、出力すべき少なくともひとつのセグメント成分を配置した第１セグメントが、予め定められた一部の第２セグメントと異なっている場合に、出力すべき少なくともひとつのセグメント成分が第２セグメントに配置されるように、変調信号内において複数のセグメント成分の配置を組みかえる組み替え部と、組み替え部において複数のセグメント成分の配置を組みかえた変調信号を出力する出力部と、を備える。
【００１２】
この態様によると、出力すべきセグメント成分を配置したセグメントが、予め定められたセグメントとずれている場合に、前者と後者とを組み替えるので、前者がどのようなセグメントであっても、最終的に後者のセグメントで受信させることができる。
【００１３】
組み替え部では、複数の送信装置のそれぞれに対して、第１セグメントが異なっていても、複数の送信装置にわたって、第２セグメントが共通に規定されていてもよい。この場合、複数の送信装置にわたって、第２セグメントが共通に規定されているので、放送エリアごとに異なった番組が放送されている場合であっても、受信側の設定を容易できる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、放送エリアごとに異なった番組が放送されている場合に、受信側の設定を容易できる。
【発明を実施するための最良の形態】
【００１６】
本発明を具体的に説明する前に、概要を述べる。本発明の実施例は、ディジタルテレビジョン放送に対応した信号（以下、「放送信号」という）を送信する放送システムに関する。放送信号では、複数の無線チャンネルに対して周波数多重がなされていることがあるが、ここでは、説明を明瞭にするためにひとつの無線チャンネルだけを説明の対象にする。また、無線チャンネルは、複数のセグメントによって形成されている。なお、ひとつの無線チャンネルに含まれたひとつのセグメントは、１セグメント放送として使用可能であるので、当該セグメントを受信するだけでも、番組が視聴される。放送事業者以外の団体等が放送信号を送信することによって自主番組を放送する場合に、放送エリアを拡大するために、複数の送信装置が設置される。
【００１７】
一方、複数の団体が放送システムを共有する場合に、団体によって自主番組を放送したいエリアが異なることもある。その際、各送信装置から、異なった自主番組が送信される。また、自主番組と、当該自主番組が配置されるセグメントとの関係が、固定されてる場合、ユーザが移動することによって放送エリアが変わると、使用されているセグメントも変わる。その結果、ユーザは、放送エリアが変わるごとに、セグメントを設定しなければならなくなる。これによって、ユーザの利便性が悪化するだけではなく、自主番組が受信されなくなる可能性も増加する。これに対応するために、次の処理が実行される。なお、以下の説明において、セグメントに配置したデータを「セグメント成分」とよぶ。
【００１８】
本発明の実施例では、管理装置と複数の送信装置のそれぞれとがネットワークを介して接続されている。管理装置は、複数の自主番組が含まれたＴＳ（Ｔｒａｎｓｐｏｒｔ  Ｓｔｒｅａｍ）信号を生成する。ここで、ＴＳ信号は、セグメントごとに自主番組の内容を変えながら、複数のセグメント成分にて形成されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号（以下、「変調信号」という）に配置可能なように生成される。管理装置は、ネットワークを介して、複数の送信装置へＴＳ信号を送信する。各送信装置は、ネットワークを介してＴＳ信号を受信すると、ＴＳ信号をもとに変調信号を生成する。ここで、変調信号は、周波数領域のＯＦＤＭ信号に相当し、複数の送信装置において共通である。
【００１９】
また、各送信装置には、放送すべき自主番組に関する情報、つまりＯＦＤＭ信号の中から放送すべきセグメント成分に関する情報がそれぞれ設定される。各送信装置は、ＯＦＤＭ信号のうち、放送すべきセグメント成分が共通のセグメントに配置されるように、セグメント成分を組みかえる。例えば、共通のセグメントが、変調信号の中心のセグメントと規定されている場合に、放送すべきセグメント成分が中心のセグメントでなければ、送信装置は、両者のセグメント成分を組みかえることによって、放送すべきセグメント成分を中心のセグメントに配置させる。
【００２０】
送信装置は、セグメント成分の組み替えを実行した変調信号（以下、これも「変調信号」ということがある）を時間領域に変換し、さらに中間周波数帯および無線周波数帯へ順に変換することによって、送信信号を生成する。複数の送信装置のそれぞれは、送信信号を放送する。なお、複数の送信装置は、互いの干渉が小さくなるような位置に設置されている。受信装置は、どの放送エリアに存在するかに関係なく、送信信号の中心部分の帯域に配置されたセグメント成分を受信すれば、各送信装置から放送されている自主番組を再生できる。
【００２１】
なお、デジタルラジオ放送に対して、ひとつのセグメント成分を３つのセグメント成分と読み替えることによって、本実施例はデジタルラジオ放送に適用される。さらに、セグメントの概念を有するシステムに対して、少なくともひとつのセグメント成分であって、かつ復調可能な数のセグメント成分を抽出することによって、本実施例は当該システムに適用される。以下では、説明を明瞭にするためのこれらの変形例の説明を省略する。
【００２２】
図１は、本発明の実施例に係る放送システム１００の構成を示す。放送システム１００は、管理装置１０、送信装置１２と総称される第１送信装置１２ａ、第２送信装置１２ｂ、第Ｎ送信装置１２ｎ、受信装置１４、ネットワーク１６を含む。また、第１送信装置１２ａは、第１送信用アンテナ２０ａを含み、第２送信装置１２ｂは、第２送信用アンテナ２０ｂを含み、第Ｎ送信装置１２ｎは、第Ｎ送信用アンテナ２０ｎを含む。ここで、第１送信用アンテナ２０ａ、第２送信用アンテナ２０ｂ、第Ｎ送信用アンテナ２０ｎは、送信用アンテナ２０と総称される。また、受信装置１４は、受信用アンテナ２２を含む。
【００２３】
管理装置１０は、複数のセグメント成分に対応したデジタルデータをＴＳ信号の形式にて生成する。ＴＳ信号は、複数のセグメント成分が周波数領域にて多重されたＯＦＤＭ信号の生成ために使用されるが、ここでは、当該ＯＦＤＭ信号をまず説明する。ＯＦＤＭ信号は、ディジタルテレビジョン放送に対応した形式を有する。また、ディジタルテレビジョン放送とは、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ（Ｄｉｇｉｔａｌ  Ｖｉｄｅｏ  Ｂｒｏａｄｃａｓｔｉｎｇ）にて規定されたシステムである。ＩＳＤＢ−ＴにおけるＯＦＤＭ信号には、４２９ＫＨｚ幅のセグメントが１３個含まれている。本実施例におけるＯＦＤＭ信号は、後述のごとく、ＩＳＤＢ−Ｔ等と異なり、セグメントごとに異なった自主番組が配置されている。つまり、セグメントごとにワンセグメント放送が実現されている。
【００２４】
管理装置１０は、複数の送信装置１２のそれぞれが放送すべきセグメント成分に関する情報をテーブルとしてまとめる。また、管理装置１０は、テーブルが含まれた制御信号を生成する。管理装置１０は、ネットワーク１６に接続される。ネットワーク１６は、例えば、有線ＬＡＮ（Ｌｏｃａｌ  Ａｒｅａ  Ｎｅｔｗｏｒｋ）や無線ＬＡＮによって形成されており、ＩＰネットワークに相当する。管理装置１０は、ＩＰネットワークに対応したパケット信号に、ＴＳ信号や制御信号を格納させる。また、管理装置１０は、ネットワーク１６を介して、複数の送信装置１２へパケット信号を送信する。
【００２５】
複数の送信装置１２のそれぞれは、ネットワーク１６を介して管理装置１０からのパケット信号を受信する。送信装置１２は、パケット信号から、ＴＳ信号および制御信号を抽出する。送信装置１２は、ＴＳ信号をもとに、複数のセグメント成分が周波数領域にて多重された変調信号を生成する。なお、変調信号は、周波数領域のＯＦＤＭ信号に相当し、複数のセグメントのそれぞれに自主番組が配置されている。ここで、変調信号では、変調方式としてＱＰＳＫが使用されている。各送信装置１２は、制御信号から、自らが放送すべきセグメント成分を特定する。このようなセグメント成分が配置されたセグメントを第１セグメントという。
【００２６】
また、変調信号の帯域のうち、放送に使用すべきセグメントとして、第２セグメントが予め定められている。例えば、第２セグメントは、変調信号に含まれた複数のセグメントのうち、中心部分のセグメントに相当する。送信装置１２は、第１セグメントと第２セグメントとが異なっている場合に、第１セグメントに配置されたセグメント成分が第２セグメントに配置されるように、変調信号内において複数のセグメント成分の配置を組みかえる。具体的には、第１セグメントに配置されたセグメント成分を第２セグメントへ移動させ、第２セグメントに配置されたセグメント成分を第１セグメントへ移動させる。このような処理によって、複数の送信装置１２のそれぞれに対して、放送すべきセグメント成分が異なっていても、複数の送信装置１２にわたって、第２セグメントが共通に規定されている。
【００２７】
送信装置１２は、変調信号に対して、ベースバンドから中間周波数帯への周波数変換を実行し、周波数変換した変調信号に対して、さらに無線周波数帯への周波数変換を実行する。送信装置１２は、無線周波数帯へ変換した変調信号（以下、「送信信号」という）を放送する。ここでは、ベースバンド帯、中間周波数帯、無線周波数帯にかかわらず、第１セグメントに対応した部分、第２セグメントに対応した部分を第１セグメント、第２セグメントとそれぞれよぶ。また、以下では、説明を明瞭にするために、複数の送信装置１２から放送される送信信号間の干渉は、受信装置１４の受信特性に影響ないものとする。
【００２８】
受信装置１４は、受信用アンテナ２２を介して、送信装置１２からの送信信号を受信する。また、受信装置１４は、送信信号を復調することによって、自主番組を再生する。また、受信装置１４は、図示しないモニタに自主番組を表示する。ここで、受信装置１４は、ユーザに携帯されて移動しており、第１送信装置１２ａの周囲において、第１送信装置１２ａからの送信信号を受信し、第２送信装置１２ｂの周囲において、第２送信装置１２ｂからの送信信号を受信する。なお、各送信装置１２からの送信信号のうち、受信すべきセグメント成分は、いずれも第２セグメントに配置されているので、受信装置１４は、どこに存在しているかに関係なく、第２セグメントのセグメント成分を復調すればよい。
【００２９】
図２は、管理装置１０の構成を示す。管理装置１０は、記憶部３０、ＴＳ信号生成部３２、制御信号生成部４０、通信部４２、制御部３６を含む。記憶部３０は、複数種類の自主番組を記憶する。ここで、自主番組は、動画像データであり、かつデジタルデータとして形成されている。なお、このような動画像データやデジタルデータには公知の技術が使用されればよいので、ここでは説明を省略する。ＴＳ信号生成部３２は、記憶部３０から複数種類の自主番組を抽出し、それらからＴＳ信号を逐次生成する。ＴＳ信号には公知の技術が使用されればよいが、ここでは、複数種類の自主番組のそれぞれが、互いに異なったセグメントに配置されるように、ＴＳ信号が生成される。ＴＳ信号生成部３２は、ＴＳ信号を通信部４２へ出力する。
【００３０】
制御信号生成部４０は、複数の送信装置１２と、各送信装置１２において放送すべきセグメント成分との対応が示されたテーブルを保持する。テーブルの詳細は後述する。なお、各送信装置１２において放送すべきセグメント成分は、セグメントを識別可能な識別番号によって示される。このようなテーブルは、ユーザによって予め生成されている。制御信号生成部４０は、テーブルが含まれた制御信号を生成し、制御信号を通信部４２へ出力する。
【００３１】
通信部４２は、有線ＬＡＮシステムや無線ＬＡＮシステムに対応した通信機能を有する。なお、有線ＬＡＮシステムや無線ＬＡＮシステムとして公知の技術が使用されればよいので、ここでは説明を省略する。通信部４２は、ＴＳ信号生成部３２からＴＳ信号を受けつけるとともに、制御信号生成部４０から制御信号を受けつける。局部発信部５４は、ＩＰネットワークに対応したパケット信号に、ＴＳ信号や制御信号を格納する。通信部４２は、図示しないネットワーク１６に接続されており、ネットワーク１６を介して、複数の送信装置１２へパケット信号を送信する。制御部３６は、管理装置１０全体の動作を制御する。
【００３２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
図３は、送信装置１２の構成を示す。送信装置１２は、通信部７０、送信部７２、送信用アンテナ２０、抽出部６２、特定部６４、設定部５２、局部発信部５４、制御部６０を含む。送信部７２は、マッピング部７４、組み替え部７６、ＩＦＦＴ部７８、直交変調部８０、周波数変換部５６、ＢＰＦ部５８を含む。図１のごとく、放送システム１００には、複数の送信装置１２が含まれている。
【００３４】
通信部７０は、図示しない通信部４２と同様の機能を有する。通信部７０は、図示しないネットワーク１６に接続されており、ネットワーク１６を介して管理装置１０からのパケット信号を受信する。通信部７０は、パケット信号に格納されたＴＳ信号や制御信号を抽出する。前述のごとく、ＴＳ信号は、複数のセグメント成分に対応したデータに相当する。
【００３５】
抽出部６２は、通信部７０において抽出したＴＳ信号および制御信号から、制御信号を抽出する。また、抽出部６２は、抽出した制御信号を復調することによって、制御信号に格納されたテーブルを取得する。図４は、抽出部６２において抽出される制御信号のデータ構造を示す。図示のごとく、送信装置名欄２１０、使用セグメント欄２１２が含まれる。送信装置名欄２１０には、各送信装置１２の名称が示されている。使用セグメント欄２１２には、各送信装置１２が送信すべきセグメント番号が示される。セグメント番号は、複数のセグメント成分のそれぞれを特定するために付与された番号である。図３に戻る。抽出部６２は、取得したテーブルを特定部６４へ出力する。
【００３６】
特定部６４は、抽出部６２からのテーブルを受けつける。特定部６４は、自らの送信装置１２の名称を予め記憶しており、図４の送信装置名欄２１０を検索することによって、自らの送信装置１２の名称を特定する。また、特定部６４は、特定した送信装置１２の名称に対応したセグメント番号を特定する。特定部６４は、特定したセグメント番号を設定部５２へ出力する。
【００３７】
マッピング部７４は、通信部７０からＴＳ信号を受けつける。マッピング部７４は、ＴＳ信号に含まれた複数種類の自主番組を互いに異なったセグメントに配置させる。また、マッピング部７４は、複数のセグメント成分を変調する。マッピング部７４は、変調に使用すべき変調方式として、ＱＰＳＫを使用する。変調結果が、周波数領域のＯＦＤＭ信号に相当する。つまり、マッピング部７４は、ＴＳ信号をもとに、複数のセグメント成分が周波数領域にて多重された変調信号を生成する。マッピング部７４は、変調信号を組み替え部７６へ逐次出力する。
【００３８】
組み替え部７６は、マッピング部７４からの変調信号を入力するとともに、設定部５２からの組み替え指示も入力する。なお、組み替え指示は、前述の特定部６４において特定されたセグメント番号に対応した指示である。組み替え部７６は、変調信号のうち、特定部６４において特定された第１セグメントが、予め定められた一部の第２セグメントと異なっている場合に、第１セグメントでのセグメント成分が第２セグメントに配置されるように、変調信号内において複数のセグメント成分の配置を組みかえる。ここでは、このような組み替え処理を図面を使用しながら説明する。
【００３９】
図５（ａ）−（ｃ）は、組み替え部７６での処理の概要を示す。図５（ａ）は、マッピング部７４からの変調信号を示した図である。これは、変調信号のスペクトラムに相当する。図の左側が低周波数側に相当し、図の右側が高周波数側に相当する。また、ひとつの変調信号は、前述のごとく、１３個のセグメントに分割されており、前述のセグメント番号が、低周波数側から順番に、「１１」、「９」、「７」、・・・、「１０」、「１２」のように付与されている。また、各セグメントに、別の自主番組が配置されている。これは、各セグメント番号に対応したセグメント成分が、各セグメントに配置されていることである。ここで、第２セグメントは、セグメント番号「０」、つまり変調信号の中心部分のセグメントであるとする。
【００４０】
また、図５（ａ）において、組み替え指示が、セグメント番号「５」を示している場合を想定する。これは、第１セグメントが、セグメント番号「５」に相当する場合である。マッピング部７４は、セグメント番号「５」に含まれたセグメント成分とセグメント番号「０」に含まれたセグメント成分とを組み替える。つまり、図５（ｂ）のごとく、図５（ａ）のセグメント番号「５」に含まれたセグメント成分が、セグメント番号「０」に配置される。図５（ｂ）は、このようなセグメント成分を「５’」として示す。一方、図５（ａ）のセグメント番号「０」に含まれたセグメント成分が、セグメント番号「５」に配置される。図５（ｂ）は、このようなセグメント成分を「０’」として示す。
【００４１】
また、図５（ａ）において、組み替え指示が、セグメント番号「６」を示している場合、組み替え部７６での処理結果が、図５（ｃ）に示される。図示のごとく、もともとセグメント番号「６」に配置されたセグメント成分「６’」がセグメント番号「０」に配置され、もともとセグメント番号「０」に配置されたセグメント成分「０’」がセグメント番号「６」に配置される。以上の説明において、セグメント成分を組み替えることは、自主番組を組み替えることに相当する。図３に戻る。ここでは、セグメント成分を組み替えた変調信号もまた、「変調信号」という。なお、セグメント成分を組み替える際に、ＳＰ信号の位相不連続が生じる場合、組み替え部７６は、位相が連続になるような処理を実行してもよい。また、このような場合に、組み替え部７６は、ＳＰ信号を組み替えの対象から除外してもよい。組み替え部７６は、変調信号をＩＦＦＴ部７８へ出力する。
【００４２】
設定部５２は、特定部６４から、特定されたセグメント番号を受けつける。設定部５２は、特定されたセグメント番号をもとに、組み替え指示を生成する。具体的に説明すると、設定部５２は、特定されたセグメント番号のセグメント成分をセグメント番号「０」へ移動させ、セグメント番号「０」のセグメント成分を、特定されたセグメント番号へ移動させる旨の指示を生成する。設定部５２は、組み替え指示を組み替え部７６へ出力する。
【００４３】
ＩＦＦＴ部７８は、組み替え部７６からの変調信号、つまり周波数領域のＯＦＤＭ信号を受けつける。ＩＦＦＴ部７８は、周波数領域のＯＦＤＭ信号に対してＩＦＦＴを実行することによって、時間領域のＯＦＤＭ信号を生成する。ここで、周波数領域のＯＦＤＭ信号および時間領域のＯＦＤＭ信号は、ディジタルテレビジョン放送において定められたＯＦＤＭ信号に相当する。ＩＦＦＴ部７８は、時間領域のＯＦＤＭ信号を直交変調部８０へ逐次出力する。
【００４４】
直交変調部８０は、ＩＦＦＴ部７８からの時間領域のＯＦＤＭ信号を直交変調することによって、中間周波数帯のＯＦＤＭ信号を生成する。直交変調として公知の技術が使用されればよいので、ここでは説明を省略する。直交変調部８０は、中間周波数帯のＯＦＤＭ信号を出力部４４へ出力する。
【００４５】
局部発信部５４は、予め定められた周波数の局部発振信号を周波数変換部５６へ出力する。周波数変換部５６は、局部発信部５４からの局部発振信号を入力するとともに、直交変調部８０からの中間周波数帯のＯＦＤＭ信号を入力する。また、周波数変換部５６は、局部発振信号によって、中間周波数帯のＯＦＤＭ信号を無線周波数帯へ周波数変換する。周波数変換部５６は、無線周波数帯のＯＦＤＭ信号をＢＰＦ部５８へ出力する。
【００４６】
ＢＰＦ部５８は、周波数変換部５６から無線周波数帯のＯＦＤＭ信号を受けつける。また、ＢＰＦ部５８は、無線周波数帯のＯＦＤＭ信号のうち、帯域外の成分を減衰させることによって、送信信号を生成する。送信用アンテナ２０は、送信信号を放送する。なお、周波数変換部５６とＢＰＦ部５８との間に、パワーアンプが備えられていてもよいが、パワーアンプは公知の技術であるので、ここでは説明を省略する。制御部６０は、送信装置１２全体の動作を制御する。
【００４７】
以上の構成による放送システム１００の動作を説明する。ユーザは、複数の送信装置１２のそれぞれに対して、放送すべきセグメント成分を特定し、それらの情報が含まれたテーブルを管理装置１０に記憶させる。管理装置１０は、テーブルが含まれた制御信号を生成する。また、管理装置１０は、複数の自主番組のそれぞれに対応づけながら、複数のセグメント成分が含まれたＴＳ信号を生成する。管理装置１０は、制御信号やＴＳ信号をパケット信号に格納して、パケット信号を送信する。複数の送信装置１２のそれぞれは、パケット信号を受信する。送信装置１２は、パケット信号から、ＴＳ信号および制御信号を抽出する。また、送信装置１２は、制御信号をもとに、放送すべきセグメント成分を特定する。
【００４８】
送信装置１２は、ＴＳ信号に含まれた複数の自主番組のそれぞれを別のセグメントに配置することによって、変調信号を生成する。また、送信装置１２は、変調信号のうち、放送すべきセグメント成分が、セグメント番号「０」に配置されるように、放送すべきセグメント成分とセグメント番号「０」のセグメント成分とを組み替える。送信装置１２は、組み替えた変調信号をもとに送信信号を生成し、送信信号を放送する。受信装置１４は、ユーザに携帯されており、複数の放送エリアをまたいで移動している。複数の放送エリアのそれぞれにおいて、セグメント番号「０」に所望の自主番組が配置されているので、受信装置１４は、セグメント番号「０」のみを固定的に再生することによって、自主番組を再生できる。
【００４９】
次に、本発明の変形例を説明する。実施例に係る送信装置１２は、マッピングを実行した後に、セグメント成分を組み替えてから、ＩＦＦＴを実行している。変形例に係る送信装置１２は、ＴＳ信号の段階において、将来的にセグメント成分になりうるデータを入れ替える。ここで、入替は、ＩＦＦＴ部７８に入力される周波数領域のＯＦＤＭ信号の構成が、組み替え部７６における組み替え結果と同様になるようになされる。変形例に係る放送システム１００、管理装置１０の構成は、図１、図２とそれぞれ同様のタイプである。
【００５０】
図６は、本発明の変形例に係る送信装置１２の構成を示す。送信装置１２は、図３に示された送信装置１２と比較して、組み替え部７６を含まず、ＴＳ信号入替部９０を含む。ＴＳ信号入替部９０は、通信部７０からＴＳ信号を入力するとともに、設定部５２からの組み替え指示も入力する。ＴＳ信号入替部９０は、ＴＳ信号内において、ＴＳ信号に含まれたデータを入れ替える。具体的に説明すると、ＴＳ信号入替部９０は、組み替え指示において特定されたセグメント成分が、将来的にセグメント番号「０」になるように、ＴＳ信号内のデータを入れ替える。ＴＳ信号入替部９０は、入替後のＴＳ信号をマッピング部７４へ出力する。
【００５１】
次に、本発明の別の変形例を説明する。別の変形例に係る送信装置１２は、ＴＳ信号のうち、送信すべきセグメント成分に対応したデータのみを抽出した後に、マッピングを実行する。その結果、周波数領域のＯＦＤＭ信号は、ワンセグメント放送に対応した信号になる。別の変形例に係る放送システム１００、管理装置１０の構成は、図１、図２とそれぞれ同様のタイプである。
【００５２】
図７は、本発明の別の変形例に係る送信装置の構成を示す。送信装置１２は、図３に示された送信装置１２と比較して、組み替え部７６を含まず、ＴＳ信号フィルタ部９２を含む。ＴＳ信号フィルタ部９２は、通信部７０からＴＳ信号を入力するとともに、設定部５２からの組み替え指示も入力する。ＴＳ信号フィルタ部９２は、ＴＳ信号のうち、組み替え指示において特定されたセグメント成分に対応したデータのみを抽出する。その結果、ＴＳ信号には、ひとつのセグメントに対応したデータが含まれる。ＴＳ信号フィルタ部９２は、抽出結果としてのＴＳ信号をマッピング部７４へ出力する。また、マッピング部７４、ＩＦＦＴ部７８は、図３と同様の処理を実行するが、処理対象となるデータ数がひとつのセグメント分になる。ここでは、セグメント番号「０」のセグメント成分だけになる。
【００５３】
本発明の実施例によれば、出力すべきひとつのセグメント成分を配置した第１セグメントが、予め定められた第２セグメントとずれている場合に、第１セグメントと第２セグメントとを組み替えるので、第１成分がどこであっても、第２セグメントで受信させることができる。また、デジタル信号処理にて、セグメント成分を入れ替えるだけであるので、処理を簡易にできる。また、第１成分がどこであっても、第２セグメントで受信させるので、送信装置に関係なく、固定のセグメントを放送に使用できる。また、送信装置に関係なく、固定のセグメントが放送に使用されるので、固定のセグメントにて受信装置に放送を受信させることができる。
【００５４】
また、固定のセグメントにて受信装置に放送を受信させるので、受信装置でのセグメントの設定を容易にできる。また、複数の送信装置にわたって、第２セグメントが共通に規定されているので、放送エリアごとに異なった自主番組が放送されている場合であっても、受信装置のセグメントの設定を容易できる。また、受信装置でのセグメントの設定が容易にされるので、自主番組が受信される機会を増加できる。また、制御信号において、複数の送信装置のそれぞれに対して、出力すべきひとつのセグメント成分を指示するので、セグメント成分を自由に指定できる。また、管理装置が、出力すべきひとつのセグメント成分を指示するので、複数の送信装置のそれぞれに対する制御を容易にできる。また、ＴＳ信号の段階において、データを入れ替えるので、送信装置の構成の自由度を向上できる。また、ＴＳ信号から、ひとつのセグメント成分に対応したデータを抽出して処理を進めるので、処理量を低減できる。
【００５５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５６】
本発明の実施例において、放送システム１００から放送される番組は、自主番組であるとされている。しかしながらこれに限らず例えば、放送される番組は自主番組でなく、放送事業者による番組であってもよい。本変形例によれば、放送システム１００によって所望の番組を放送できる。
【００５７】
本発明の実施例において、ＴＳ信号生成部３２は、記憶部３０に記憶された自主番組のデジタルデータをもとにＴＳ信号を生成している。しかしながらこれに限らず例えば、ＴＳ信号生成部３２によるこのような処理は省略されてもよい。その際、記憶部３０には、ＴＳ信号が記憶される。通信部４２は、記憶部３０に記憶されたＴＳ信号を受けつける。本変形例によれば、管理装置１０の構成の自由度を向上できる。
【００５８】
本発明の実施例において、マッピング部７４は、ＱＰＳＫによる変調を実行している。しかしながらこれに限らず例えば、ＱＰＳＫ以外の変調方式として、１６ＱＡＭ、６４ＱＡＭ等が使用されてもよく、変調方式が可変に設定されてもよい。なお、変調方式を可変に設定するために公知の技術が使用されればよいので、ここでは説明を省略する。本変形例によれば、放送システム１００の構成の自由度を向上できる。
【００５９】
本発明の実施例において、各自主番組は、ひとつのセグメントに配置されている。しかしながらこれに限らず例えば、自主番組が複数のセグメントに配置されていてもよい。その際、セグメント番号「０」、「１」、「２」のごとく、第２セグメントから連続して帯域が拡大するように、使用すべきセグメントの優先順位が設定される。送信装置１２は、優先順位の高いセグメントを優先的に使用するように組み替えを実行する。本変形例によれば、自主番組の帯域が拡大する場合であっても、自主番組を放送できる。
【００６０】
本発明の実施例において、管理装置１０は、複数の送信装置１２に関する情報をまとめるようにテーブルを生成し、テーブルを複数の送信装置１２へ送信している。しかしながらこれに限らず例えば、管理装置１０は、各送信装置１２に対して、テーブルをそれぞれ作成し、テーブルに対応した送信装置１２のみへ当該テーブルを出力してもよい。本変形例によれば、テーブルのフォーマットの自由度を向上できる。
【図面の簡単な説明】
【００６１】
【図１】本発明の実施例に係る放送システムの構成を示す図である。
【図２】図１の管理装置の構成を示す図である。
【図３】図１の送信装置の構成を示す図である。
【図４】図３の抽出部において抽出される制御信号のデータ構造を示す図である。
【図５】図５（ａ）−（ｃ）は、図３の組み替え部での処理の概要を示す図である。
【図６】本発明の変形例に係る送信装置の構成を示す図である。
【図７】本発明の別の変形例に係る送信装置の構成を示す図である。
【符号の説明】
【００６２】
１０  管理装置、  １２  送信装置、  １４  受信装置、  １６  ネットワーク、  ２０  送信用アンテナ、  ２２  受信用アンテナ、  ３０  記憶部、  ３２  ＴＳ信号生成部、  ３６  制御部、  ４０  制御信号生成部、  ４２  通信部、  ５２  設定部、  ５４  局部発信部、  ５６  周波数変換部、  ５８  ＢＰＦ部、  ６０  制御部、  ６２  抽出部、  ６４  特定部、  ７０  通信部、  ７２  送信部、  ７４  マッピング部、  ７６  組み替え部、  ７８  ＩＦＦＴ部、  ８０  直交変調部、  １００  放送システム。
【図１】
2010136021.tif 000003
【図２】
2010136021.tif 000004
【図３】
2010136021.tif 000005
【図４】
2010136021.tif 000006
【図５】
2010136021.tif 000007
【図６】
2010136021.tif 000008
【図７】
2010136021.tif 000009